(57)【要約】【課題】試薬には濃硫酸等の元々毒性の強いものや可燃性の高いものがあるので不用意な作業や地震時の揺れによって倒れて中の試薬が流出してしまうと危険であるが、強固に固定してしまうと倒れは防止できるが取扱いが不便になる。【解決手段】シート状に形成され、試薬等を入れた容器７の底部９に対向する本体３と、本体３の表面側に形成された表面側粘着層１５と、本体３の裏面側に形成された裏面側粘着層１７とを備え、容器７への粘着力と容器７を載せる台３１への粘着力に強弱差がある。容器７への粘着力が台３１への粘着力より強い装着型の場合には、容器７に貼り付けた上で実験台３１に載せると、容器７は倒れ防止用具１を介して台３１に固定され、手で容器７を持ち上げると倒れ防止用具１は容器７と共に台３１から離れる。そして、再び、台３１に載せると固定される。なお、粘着層の代わりに吸着層を形成してもよい。【選択図】        図３
2005321001.tif 000002
【特許請求の範囲】
【請求項１】
シート状に形成され、試薬等を入れた容器の底部に対向する本体と、前記本体の表面側に形成された表面側接着層と、前記本体の裏面側に形成された裏面側接着層とを備え、前記容器への接着力と前記容器を載せる台への接着力に強弱差があることを特徴とする容器の倒れ防止用具。
【請求項２】
請求項１に記載した容器の倒れ防止用具において、接着層は粘着層または吸着層であることを特徴とする容器の倒れ防止用具。
【請求項３】
請求項１または２に記載した容器の倒れ防止用具において、容器への接着力が前記容器を載せる台への接着力より強い装着型であり、容器の底部を表面側接着層と接着させ、前記容器を載せる台に裏面側接着層を接着させることで、前記容器は前記倒れ防止用具を介して前記台に固定され、手で前記容器を持ち上げると前記倒れ防止用具は前記容器と共に前記台から離れることを特徴とする容器の倒れ防止用具。
【請求項４】
請求項３に記載した装着型の容器の倒れ防止用具において、さらに、本体の周縁部に前記本体と一体に形成され、前記本体との接続部を表面側に折り曲げることにより立上る立上部と、前記立上部の内面に形成された内面側接着層と、前記立上部の面積変更手段とを備えることを特徴とする容器の倒れ防止用具。
【請求項５】
請求項３または４に記載した装着型の容器の倒れ防止用具において、裏面側接着層は剥離可能な多層構造をしていることを特徴とする容器の倒れ防止用具。
【請求項６】
請求項１または２に記載した容器の倒れ防止用具において、容器を載せる台への接着力が前記容器への接着力より強い設置型であり、容器の底部を表面側接着層と接着させ、前記容器を載せる台に裏面側接着層を接着させることで、前記容器は前記倒れ防止用具を介して前記台に固定され、手で前記容器を持ち上げると前記倒れ防止用具は前記台に固定された状態で残ることを特徴とする容器の倒れ防止用具。
【請求項７】
請求項６に記載した設置型の容器の倒れ防止用具において、表面側接着層の上に剥離層が中心部とその中心部を囲む一つ又は複数のリング状部とに分割されて形成されていることを特徴とする容器の倒れ防止用具。
【請求項８】
請求項６または７に記載した設置型の容器の倒れ防止用具において、さらに、本体の周縁部に形成された流出防止部を備えることを特徴とする容器の倒れ防止用具。
【発明の詳細な説明】
【技術分野】
【０００１】
本発明は、試薬瓶等の容器の倒れ防止用具に関するものである。
【背景技術】
【０００２】
大学等の実験室では、保管庫から試薬瓶を取りだし、実験台の上において試薬を取りだしながら試験をするが、作業効率等の点から、蓋を開けたまま試薬瓶が置かれる場合がある。そのような場合に、衣服等に誤って引っ掛けたりまたは地震の発生により試薬瓶が倒れると、中の試薬が流れ出たり噴出したりしてしまう場合がある。
また、蓋を閉めていても、大きな地震が発生したりして試薬瓶が倒れて破損すると中の試薬が流出してしまう。
試薬には濃硫酸等の元々毒性の強いものや可燃性の高いものがあるので、試薬が流出すると非常に危険である。
その一方で、取扱いが容易で繰り返し使用ができるものでないと、実験作業の邪魔になり、利便性に欠けることになる。
【発明の開示】
【発明が解決しようとする課題】
【０００３】
それ故、本発明は、不用意な作業や地震時の揺れ（例えば震度７程度の揺れ）によっても容易には倒れず、その一方で取扱いが容易で、繰り返し使用できる容器の倒れ防止用具を提供することを目的とする。
【課題を解決するための手段】
【０００４】
上記課題を解決するために、請求項１の発明は、シート状に形成され、試薬等を入れた容器の底部に対向する本体と、前記本体の表面側に形成された表面側接着層と、前記本体の裏面側に形成された裏面側接着層とを備え、前記容器への接着力と前記容器を載せる台への接着力に強弱差があることを特徴とする容器の倒れ防止用具である。
【０００５】
請求項２の発明は、請求項１に記載した容器の倒れ防止用具において、接着層は粘着層または吸着層であることを特徴とする容器の倒れ防止用具である。
粘着層は、例えば本体に粘着剤を塗布や浸漬したり、両面粘着テープを貼りつけることにより形成される。粘着層が形成されたときには、接着力として粘着層の粘着力を利用する。
吸着層は、例えば本体自体を吸着加工したり、或いは本体に吸着剤を塗布したり、ミクロ状の滑り止め孔が多数形成された吸着シートを貼りつけることにより形成される。吸着層が形成されたときには、接着力として吸着層の吸着力を利用する。
【０００６】
請求項３の発明は、請求項１または２に記載した容器の倒れ防止用具において、容器への接着力が前記容器を載せる台への接着力より強い装着型であり、容器の底部を表面側接着層と接着させ、前記容器を載せる台に裏面側接着層を接着させることで、前記容器は前記倒れ防止用具を介して前記台に固定され、手で前記容器を持ち上げると前記倒れ防止用具は前記容器と共に前記台から離れることを特徴とする容器の倒れ防止用具である。
【０００７】
請求項４の発明は、請求項３に記載した装着型の容器の倒れ防止用具において、さらに、本体の周縁部に前記本体と一体に形成され、前記本体との接続部を表面側に折り曲げることにより立上る立上部と、前記立上部の内面に形成された内面側接着層と、前記立上部の面積変更手段とを備えることを特徴とする容器の倒れ防止用具である。
【０００８】
請求項５の発明は、請求項３または４に記載した装着型の容器の倒れ防止用具において、裏面側接着層は剥離可能な多層構造をしていることを特徴とする容器の倒れ防止用具である。
【０００９】
請求項６の発明は、請求項１または２に記載した容器の倒れ防止用具において、容器を載せる台への接着力が前記容器への接着力より強い設置型であり、容器の底部を表面側接着層と接着させ、前記容器を載せる台に裏面側接着層を接着させることで、前記容器は前記倒れ防止用具を介して前記台に固定され、手で前記容器を持ち上げると前記倒れ防止用具は前記台に固定された状態で残ることを特徴とする容器の倒れ防止用具である。
【００１０】
請求項７の発明は、請求項６に記載した設置型の容器の倒れ防止用具において、表面側接着層の上に剥離層が中心部とその中心部を囲む一つ又は複数のリング状部とに分割されて形成されていることを特徴とする容器の倒れ防止用具である。
【００１１】
請求項８の発明は、請求項６または７に記載した設置型の容器の倒れ防止用具において、さらに、本体の周縁部に形成された流出防止部を備えることを特徴とする容器の倒れ防止用具である。
【発明の効果】
【００１２】
本発明の容器の倒れ防止用具は、容器の固定と移動という相反する２つの機能を共に満足できる程度に有するので、容易に倒れず、しかも取扱いが容易であり、繰り返し使用にも耐えられる。
【発明を実施するための最良の形態】
【００１３】
本発明の第１の実施の形態を図１から図４に従って説明する。
符号１は装着型の容器の倒れ防止用具（以下、「装着型倒れ防止用具」と略記。）を示す。この装着型倒れ防止用具１は１枚の厚紙で構成されたシート状体であり、本体３とその周縁部に一体に形成された多数の立上部５とを有する。本体３は円状をしており、その面積は試薬等を入れた容器としての試薬瓶７の底部９の面積より若干大きくなるよう設定されている。
この装着型倒れ防止用具１の厚紙の表裏面は、試薬瓶７の中の試薬の種類に対応して着色されている。即ち、試薬の種類を、毒性の有るもの、可燃性の有るもの、その他のものに分け、それぞれ色（例えば、青、赤、白）を予め決めておき、その色で厚紙を着色しておく。
【００１４】
立上部５は本体３から外方に向かって放射状に延びており、外方に向かうにつれて巾寸法が拡がっている。立上部５は一定の間隔を置いて多数配置されており、立上部５はリング状の連結部１１によって連結されている。上記の立上部５と連結部１１は１枚の厚紙を所定のパターンで切り抜くことにより形成できる。
立上部５は本体３との接続部１３を表面側に折り曲げると、容易に立ち上がる。
【００１５】
図２は装着型倒れ防止用具１の断面図である。
符号１５は表面側粘着層を、符号１７は裏面側粘着層を示し、本体３の表裏面にそれぞれ全体にわたって形成されている。
符号１９は立上部５と連結部１１の内面（立上部５を立上げたときに内側となる面）上に全体にわたって形成された内面側粘着層を示す。この内面側粘着層１９の厚みは表面側粘着層１５の厚みと略同じになるように調整されている。
【００１６】
粘着層１５，１７，１９は市販の透明な粘着剤、例えば合成樹脂系粘着剤を慣用な方法で塗布や含浸させることにより形成している。また、表面側粘着層１５と内面側粘着層１９とは連続して形成されている。なお、表面側粘着層１５の方が裏面側粘着層１７より若干厚く形成されている。
表面側粘着層１５と内面側粘着層１９の上に全体にわたって剥離層としての剥離テープ２１が貼り付けられており、裏面側粘着層１７の下に全体にわたって剥離層としての剥離テープ２３が貼り付けられている。
【００１７】
使用方法について説明する。
先ず、試薬瓶７の中の試薬の種類に応じた色の装着型倒れ防止用具１を選択し、立上部５を接続部１３で表面側に折り曲げて立上部５を試薬瓶７の側面２５に固定させたときに立上部５が重複しないように、側面２５の形状に合わせて、立上部５の面積を変更する。この実施の形態では、図３に示すように、立上部５をその両側の連結部１１とで形成される十字部分２７を、３個おきに切り取って面積を調整している。
【００１８】
剥離テープ２１を表面側粘着層１５と内面側粘着層１９から剥がした後に、試薬瓶７の底部９を本体３の表面側粘着層１５に合わせて粘着させる。図４に示すように、試薬瓶７の底部９は凹みがあるので、環状の周縁部２９のみが表面側粘着層１５に粘着している。
次に、立上部５を本体３との接続部１３で表面側に折り曲げて立上げ、試薬瓶７の側面２５に立上部５に形成された内面側粘着層１９を当てて粘着させる。
上記の作業をすると、装着型倒れ防止用具１は試薬瓶７に装着される。
さらに、剥離テープ２３を裏面側粘着層１７から剥がした後に、試薬瓶７を装着型倒れ防止用具１と共に実験台３１に載せると、実験台３１に裏面側粘着層１７は粘着するので、試薬瓶７は実験台３１に固着される。
【００１９】
装着型倒れ防止用具１の試薬瓶７への粘着力は、表面側粘着層１５および内面側粘着層１９の粘着面積や厚さにより決定され、試薬瓶７を載せる実験台３１への粘着力は、裏面側粘着層１７の粘着面積や厚さにより決定されるが、ここでは装着型なので前者の粘着力が後者の粘着力より大きくなるよう調整されている。
従って、図３に示すように、試薬瓶７を実験台３１に載せたときには、装着型倒れ防止用具１の粘着力により実験台３１の上に固定されて倒れ難くなる。一方、手で試薬瓶７を持ち上げると、裏面側粘着層１７は実験台３１から容易に離れるので、必要に応じて試薬瓶７を楽に移動できる。
そして持ち上げたときには、装着型倒れ防止用具１は試薬瓶７に装着されたままなので、再び実験台３１に載せると固定される。従って、繰り返し使用ができる。実験を終了した場合には、装着型倒れ防止用具１を装着したまま試薬瓶７を図示しない保管庫の棚に戻せば、保管庫の棚に固定された状態で保管される。
【００２０】
装着型倒れ防止用具１は、１枚のシート状体で構成されているので装着が容易であり、しかも容量が最小限となるので大量輸送でき、物流コストが安くなる。
装着型倒れ防止用具１の色で試薬の種類を視覚的に容易に区別できるので、試薬の誤使用を防止できる。
さらに、装着型倒れ防止用具１の素材は紙で構成されているので、軽くて取り扱い易い上に、使用後は可燃物として焼却処理できる。
【００２１】
本発明の第２の実施の形態を図５に従って説明する。
符号３２は装着型の容器の倒れ防止用具（以下、装着型倒れ防止用具」と略記。）を示し、この装着型倒れ防止用具３２は第１の実施の形態に係る装着型倒れ防止用具１と大部分の構成は同じであり、同じ構成は同じ符号を付すことで説明を省略する。
この装着型倒れ防止用具３２は、本体３の下に第1裏面側粘着層３３、第２裏面側粘着層３４、第３裏面側粘着層３５が順に積層され、第１裏面側粘着層３３と第２裏面側粘着層３４の間と、第２裏面側粘着層３４と第３裏面側粘着層３５の間には剥離シート３６が挿入されている。第1裏面側粘着層３３、第２裏面側粘着層３４、第３裏面側粘着層３５によって多層構造が構成されている。
【００２２】
この装着型倒れ防止用具３２は、第３粘着層３５が汚れて粘着力が低下したときには第３粘着層３５をその上の剥離シート３６と共に剥がすことにより第２粘着層３４を露出させてそのまま使用を継続でき、さらに、第２粘着層３４が汚れて粘着力が低下したときには第２粘着層３４をその上の剥離シート３６と共に剥がすことにより、第１粘着層３３を露出させてそのまま使用を継続できる。従って、長期間にわたって使用することができる。
【００２３】
本発明の第３の実施の形態を図６から図７に従って説明する。
符号３７は装着型の容器の倒れ防止用具（以下、装着型倒れ防止用具」と略記。）を示し、この装着型倒れ防止用具３７は第１の実施の形態に係る装着型倒れ防止用具１と大部分の構成は同じであり、同じ構成は同じ符号を付すことで説明を省略する。
符号３９はクッション部を示し、このクッション部３９は立上部５の外周側に立上部５と一体に形成されている。クッション部３９は内面側粘着層１９が形成されていないことを除いては、立上部５を同じ構成を有している。
【００２４】
第１の実施の形態の装着型倒れ防止用具１と同じように、試薬瓶７の底部９を本体３の表面側粘着層１５に合わせて粘着させた後に、立上部５を本体３との接続部１３で表面側に折り曲げて立上げ、試薬瓶７の側面２５に立上部５に形成された内面側粘着層１９を当てて粘着させる。次に、図７に示すように、クッション部３９を上方に湾曲するように屈曲させる。
この装着型倒れ防止用具３７はクッション部３９が設けられているので、図７に示すように、実験台３１に複数の試薬瓶７を載せたときに、試薬瓶７どうしが直接当って倒れるのを防止できる。
【００２５】
本発明の第４の実施の形態を図８から図１１に従って説明する。
符号４３は設置型の容器の倒れ防止用具（以下、「設置型倒れ防止用具」と略記。）を示し、この設置型倒れ防止用具４３は１枚の厚紙で構成されたシート状体であり、本体４５とその周縁部に一体に形成された流出防止部４７とを有する。本体４５は円状をしており、流出防止部４７はリング状をしている。
流出防止部４７には多数の溝４９が形成されている。この溝４９は周方向に向かって延びる細長状をしており、周方向に隣り合う溝４９どうしの隙間が半径方向で互い違いにくるように配置されている。溝４９の深さは１〜２ｍｍ程度である。
【００２６】
図９は設置型倒れ防止用具４３の断面図である。
符号５１は表面側粘着層を、符号５３は裏面側粘着層を示し、本体４５の表裏面にそれぞれ全体にわたって形成されている。
粘着層５１，５３は市販の透明な粘着剤、例えば合成樹脂系粘着剤を慣用な方法で塗布や含浸させることにより形成している。なお、裏面側粘着層５３の方が表面側粘着層５１より若干厚く形成されている。
表面側粘着層５１上には、中心部上に剥離層としての円状の剥離テープ５５が貼り付けられ、その中心部を囲んでリング状の剥離テープ５７が貼り付けられている。また、裏面側粘着層５３の下には全体にわたって剥離層としての剥離テープ５９が貼り付けられている。
【００２７】
使用方法について説明する。
先ず、設置型倒れ防止用具４３を手に取り、剥離テープ５９を裏面側粘着層５３から剥がした後に、裏面側粘着層５３を実験台３１に当てて粘着させることにより、実験台３１に設置する。
次に、小径試薬瓶６１を載せるときには、図１０に示すように、底部６３の大きさに合わせて表面側粘着層５１上から剥離テープ５５のみを剥がし、露出した表面側粘着層５１上に底部６３を合わせながら小径試薬瓶６１を載せて、底部６３を表面側粘着層５１に粘着させる。大径試薬瓶６５を載せるときには、図１１に示すように、底部６７の大きさに合わせて表面側粘着層５１上から剥離テープ５５と剥離テープ５７を剥がし、露出した表面側粘着層５１上に底部６７を合わせながら大径試薬瓶６５を載せて、底部６７を表面側粘着層５１に粘着させる
上記の作業をすると、小径試薬瓶６１や大径試薬瓶６５は実験台３１に固着される。
【００２８】
設置型倒れ防止用具４３の試薬瓶６１，６５への粘着力は、表面側粘着層５１の粘着面積や厚さにより決定され、試薬瓶６１，６５を載せる実験台３１への粘着力は、裏面側粘着層５３の粘着面積や厚さにより決定されるが、ここでは設置型なので後者の粘着力が前者の粘着力より大きくなるよう調整されている。
従って、図１０，図１１に示すように、試薬瓶６１，６５を実験台３１に載せたときには、設置型倒れ防止用具４３の粘着力により実験台３１の上に固定されて倒れ難くなる。一方、手で試薬瓶６１，６５を持ち上げると、表面側粘着層５１は試薬瓶６１，６５から容易に離れるので、必要に応じて試薬瓶６１，６５を楽に移動でき、再び、設置型倒れ防止用具４３に載せることで、繰り返し使用できる。
【００２９】
設置型倒れ防止用具４３では試薬瓶６１，６５の底部６３，６７の大きさに合わせて表面側粘着層５１の露出面積を調整できる。例えば、試薬瓶６１を載せるのにその底部６３より表面側粘着層５１の露出面積が大きくなると、試薬瓶６１を載せたり持ち上げたりするときに手が表面側粘着層５１に触れてバランスを崩し試薬瓶６１を倒してしまう可能性があるが、設置型倒れ防止用具４３では露出面積を調整できるので不都合は生じない。
また、流出防止部４７が形成されているので、実験中に試薬瓶６１，６５の側面を伝って中の試薬が垂れても、溝４９の中に留まるので設置型倒れ防止用具４３の外に流出するのを防止できる。
【００３０】
以上、本発明の実施の形態について説明したが、本発明の具体的構成がこの実施の形態に限定されるものでは無く、本発明の要旨から外れない範囲での設計変更等があっても本発明に含まれる。
例えば、上記の実施の形態では、紙で本体や立上部や流出防止部を構成していいるが、この紙は天然紙に限らず、合成紙でもよい。また、本体や立上部や流出防止部を構成する材料は、紙に限定されず、合成樹脂材料でもよい。さらに、紙や合成樹脂材料は、織布や不織布で構成されたものでもよい。
最近は、セロファンに似た、紙よりも剛性が低い新しい材料が出てきている。このような新しい材料で第１の実施の形態（装着型）の本体３や立上部５を構成すれば、紙を使用した場合よりも試薬瓶７から剥がれ難くなると思われる。
一つの倒れ防止用具中に、接着層として粘着層と吸着層の両方が形成されていてもよい。例えば、第１の実施の形態（装着型）で、本体３の裏面側に粘着層１７の代わりに、吸着層を形成してもよい。
【００３１】
第１の実施の形態（装着型）では試薬瓶７の側面２５がある程度の高さまで一定の大きさだったので、立上部５を３個おきに切り取っていたが、側面２５が上方に向かって広がる場合には切り取る個数を少なくしたり、一方、側面２５が上方に向かって逆に狭まる場合には切り取る個数を多くすることが必要であろう。また、後者の場合には、立上部５を外方に向かうについて巾寸法が狭くなるように設計することも考えられる。さらに、連結部１１の太さや位置も変更することが可能である。
【００３２】
また、第１の実施の形態（装着型）では立上部５を設け、さらにその面積を変更することで試薬瓶７との粘着力を適度に調整しているが、試薬瓶７の底部９が扁平な場合や、本体３の表面側粘着層１５の粘着力を、表面側粘着層１５の厚みを大きくしたり粘着剤の種類を変えて必要な程度まで強くできれば、立上部５を設ける必要は必ずしもない。
第４の実施の形態では、倒れ防止用具４３は実験台３１に設置されるので、その中に載せる試薬瓶は特定のものに限定されない。従って、ある試薬瓶を使用した実験が終了した後に別の試薬瓶をその上に載せて実験を開始することも可能である。
流出防止部４７は溝状、即ち凹状に形成しているが、逆に凸状に形成してもよい。また、流出防止部４７は本体４５を囲むリング状に形成してもよい。
【産業上の利用可能性】
【００３３】
本発明の容器の倒れ防止用具を用いれば、防災効果が高く、しかも取扱いも容易で繰返し使用できるので、作業の邪魔にならずに安全に実験を行うことができる。
【図面の簡単な説明】
【００３４】
【図１】第１の実施の形態に係る容器の倒れ防止用具の平面図である。
【図２】図１の倒れ防止用具のＡ−Ａ断面図である。
【図３】図１の倒れ防止用具の使用方法を説明する図である。
【図４】第1の倒れ防止用具の使用中の断面図である。
【図５】第２の実施の形態に係る容器の倒れ防止用具の断面図である。
【図６】第３の実施の形態に係る容器の倒れ防止用具の使用方法を説明する図である。
【図７】図６の倒れ防止用具の使用中の断面図である。
【図８】第４の実施の形態に係る容器の倒れ防止用具の斜視図である。
【図９】図８の倒れ防止用具のＢ−Ｂ断面図である。
【図１０】図８の倒れ防止用具の使用状態を説明する図である。
【図１１】図８の倒れ防止用具の使用状態を説明する図である。
【符号の説明】
【００３５】
１    装着型倒れ防止用具          ３    本体
５    立上部                      ７    試薬瓶
１５    表面側粘着層              １７    裏面側粘着層
１９    内面側粘着層              ３１    実験台
３２    装着型倒れ防止用具        ３３，３４，３５    裏面側粘着層
３７    装着型倒れ防止用具        ３９    クッション部
４３    設置型倒れ防止用具        ４５    本体
４７    流出防止部                ５１    表面側粘着層
５３    裏面側粘着層              ５５，５７    剥離テープ
【図１】
2005321001.tif 000003
【図２】
2005321001.tif 000004
【図３】
2005321001.tif 000005
【図４】
2005321001.tif 000006
【図５】
2005321001.tif 000007
【図６】
2005321001.tif 000008
【図７】
2005321001.tif 000009
【図８】
2005321001.tif 000010
【図９】
2005321001.tif 000011
【図１０】
2005321001.tif 000012
【図１１】
2005321001.tif 000013